(57)【要約】【課題】内容物の注出作業を容易且つ確実に行うことができ、多種多様な内容物を包装することができ、包装のコストの低減化が可能な包装袋を提供する。【解決手段】本発明は、軟包装素材から成り、内容物を密封包装するための包装袋１０であって、２つの孔１３，１４が互いに近接して形成され、２つの孔１３，１４の間に開封部１７が設けられ、開封部１７を開封することにより内容物の注出口１８が形成可能なように構成されていることを特徴とする。【選択図】図１
2010116181.tif 000002
【特許請求の範囲】
【請求項１】
軟包装素材から成り、内容物を密封包装するための包装袋であって、
２つの孔が互いに近接して形成され、該２つの孔の間に開封部が設けられ、該開封部を開封することにより内容物の注出口が形成可能なように構成されていることを特徴とする包装袋。
【請求項２】
前記注出口が筒状に形成可能なように構成されている請求項１に記載の包装袋。
【請求項３】
前記２つの孔は上端部の左右いずれか一方側において上下に形成され、前記注出口が横向きに形成可能なように構成されている請求項２に記載の包装袋。
【発明の詳細な説明】
【技術分野】
【０００１】
本発明は、液状や粉粒状のような流動性を有する内容物を密封包装するための包装袋
に関するものである。
【背景技術】
【０００２】
近年、詰め替え用のシャンプーや洗剤、或いはカレー等の調理済み食材のような流動性を有する内容物を密封包装するためにスタンディングパウチに代表される軟包装素材製の包装袋が広く使用されている。
【０００３】
従来、この種の包装袋から内容物を注出する場合、上部のコーナー部や全体部分を切り取って開封したり（例えば、特許文献１又は２参照）、或いは上部のコーナー部に予め装着されたストローを使用したり（例えば、特許文献３参照）、或いは上部のコーナー部に予め装着されたネジ式のスパウトを使用したり（例えば、特許文献４参照）して行っていた。
【特許文献１】特開平１１−１１４９６号公報
【特許文献２】特開２０００−１９０９９１号公報
【特許文献３】特開２０００−１８５３５９号公報
【特許文献４】特開２００２−１０４４４６号公報
【発明の開示】
【発明が解決しようとする課題】
【０００４】
しかしながら、上記したように上部のコーナー部や全体部分を切り取って開封する場合
には、開封作業が行い難いといった問題や、注出口と包装袋自体が柔らかく非常に不安定なため、内容物を注出中にこぼし易く、注出作業が行い難いといった問題があった。
【０００５】
また、上記したように上部のコーナー部に予め装着されたストローやスパウトを使用する場合には、ストローやスパウトの装着スペースが必要となるため、弁当や納豆等に入れられている醤油や辛子等の調味料の袋のように小さなサイズの包装袋には使用できないといった問題や、ストローやスパウトの費用が余分に掛かり、包装のコストが増大するといった問題があった。
【０００６】
本発明は、上記した課題を解決すべくなされたものであり、内容物の注出作業を容易且つ確実に行うことができ、多種多様な内容物を包装することができ、包装のコストの低減化が可能な包装袋を提供することを目的とするものである。
【課題を解決するための手段】
【０００７】
上記した目的を達成するため、本発明は、軟包装素材から成り、内容物を密封包装するための包装袋であって、２つの孔が互いに近接して形成され、該２つの孔の間に開封部が設けられ、該開封部を開封することにより内容物の注出口が形成可能なように構成されていることを特徴とする。
【０００８】
そして、前記注出口が筒状に形成可能なように構成されているのが好ましい。
【０００９】
また、前記２つの孔は上端部の左右いずれか一方側において上下に形成され、前記注出口が横向きに形成可能なように構成されているのが好ましい。
【発明の効果】
【００１０】
本発明によれば、内容物の注出及び注入作業を容易且つ確実に行うことができ、多種多様な内容物を包装することができ、包装のコストの低減化が可能となる。
【発明を実施するための最良の形態】
【００１１】
以下、図面を参照しつつ、本発明の実施の形態について説明する。
【００１２】
図１は本発明の実施の形態に係る包装袋１０を示す正面図であり、この包装袋１０は、プラスチックを主体とする積層フィルム等の軟包装素材から成り、例えばスタンディングパウチを使用することができる。包装袋１０の外周部分１１は溶融接着により密封されており、内部１２には詰め替え用のシャンプー、リンス、ボディソープ、食器洗い用又は洗濯用の家庭用液体洗剤、液体調味料、食用油、各種飲料、カレー等の調理済み食材のような流動性を有する内容物が収容されている。
【００１３】
包装袋１０の上端部の左右いずれか一方側（図１では正面視左側）には上下に２つの孔１３，１４が互いに近接して形成されている。上側の孔１３は横長円形状を成し、下辺部分の一方側（図１では正面視左側）寄りにはＶ字状の切欠部１５が形成されている、一方、下側の孔１４は略円形状を成し、上辺部分には上側の孔１３の切欠部１５に対応するように逆Ｖ字状の切欠部１６が形成されている。上下の切欠部１５，１６の間には、ハーフカット加工等により開封部１７が形成されており、開封部１７を開封することにより内容物の注出口１８が横向き筒状に形成されるようになっている。
【００１４】
このような構成を備えた包装袋１０に充填された内容物を専用の容器（図示省略）に移し替える場合、先ず、上下の孔１３，１４にそれぞれ指を挿入して引っ張り、切欠部１５，１６から開封部１７を切り裂く。この時、上下の孔１３，１４にそれぞれ指を挿入することで開封作業を円滑且つ容易に行うことができ、開封作業時に包装袋１０の内容物が飛散したりして周囲を汚すことはない。また、開封時に切り取った包装袋１０の一部を廃棄する必要がないため、余分なゴミの発生を抑えることができる。
【００１５】
次いで、上記したように開封部１７を切り裂くことによって注出口１８が横向き筒状に形成されるため、包装袋１０を傾けてこの注出口１８を前記専用の容器の注ぎ口に挿入し、該容器内に内容物を注入する。この注入作業の間、注出口１８は筒状を形成しており、前記専用の容器の開口部に確実に挿入されているため、内容物の注入中に注出口１８が前記専用の容器の注ぎ口から滑って外れたり、座屈したりして内容物が外部にこぼれるおそれがない。したがって、作業者は手を汚すことなく内容物の注出及び注入作業を簡単に行うことができる。
【００１６】
また、注出口１８が横向きに形成されており、包装袋１０の傾斜角度を必要最小限に抑えることができるため、内容物の注出及び注入作業を容易に行うことができ、作業性を高めることができる。さらに、注出口１８が筒状に立体的に形成されるため、視覚障害者等であっても注出口１８の位置を瞬時に把握することができ、内容物の注出及び注入作業を円滑に行うことができる。
【００１７】
このように上記した実施の形態に係る包装袋１０によれば、容易且つ迅速に開封作業を行うことができると共に、注出口１８が前記専用の容器の注ぎ口から脱落することがなく、内容物の注出及び注入作業中に内容物をこぼすことがなくなる。
【００１８】
また、注出口１８としてストローやスパウト等の別部品を装着させる必要がないため、弁当や納豆等に入れられている醤油や辛子等の調味料の袋、携帯用の液体医薬品の袋のように小さなサイズの包装袋にも使用することができ、さらに、業務用の食用油、醤油、ソース等のペットボトルや、エンジンオイル、工業用油等のスチール缶やアルミ缶等の代替品としても使用することができる。したがって、適用範囲の拡大化を図ることが可能となる。
【００１９】
さらにまた、注出口１８としてストローやスパウト等の別部品が不要なため、包装のコストの低減化を図ることができると共に、ゴミの削減化やリサイクル化を行い易くなり、省資源化が可能となる。
【００２０】
なお、図１中において二点鎖線で示すように、包装袋１０の上端部の他方側（図示では正面視右側）に持ち手用の開口部１９を設けてもよい。これにより、特に包装袋１０が大きい場合や内容物の重量が重い場合などには、この開口部に手を掛けることにより内容物の注出及び注入作業を一層容易且つ円滑に行うことができる。
【００２１】
また、包装袋１０や孔１３，１４及び注出口１８の位置及び形状は上記した実施の形態に限定されるものではなく、例えば、図２（ａ）に示すように楕円形状の孔２０，２１を上端部左側で斜めに配置して注出口２２が４５度傾斜するように形成したり、或いは、図２（ｂ）に示すように楕円形状の孔２３，２４を上端部中央で縦長に配置して注出口２５が上向きとなるように形成したり、或いは、図２（ｃ）に示すように包装袋３０を三角形状にし、三角形状の孔３１，３２を頂部に配置して注出口３３が上向きとなるように形成したり、或いは、図２（ｄ）に示すように包装袋４０を逆三角形状にし、円形状の孔４１，４２を頂部に配置して注出口４３が上向きとなるように形成したり、或いは、図２（ｅ）に示すように包装袋５０を円形状にし、楕円形状の孔５１，５２を頂部に縦長に配置して注出口５３が上向きとなるように形成したりする等、各種変更が可能である。
【図面の簡単な説明】
【００２２】
【図１】本発明の実施の形態に係る包装袋を示す正面図である。
【図２】（ａ）〜（ｅ）は本発明の実施の形態に係る包装袋の各種変形例を示す正面図である。
【符号の説明】
【００２３】
１０          包装袋
１３          孔
１４          孔
１７          開封部
１８          注出口
【図１】
2010116181.tif 000003
【図２】
2010116181.tif 000004